【手続補正書】
【提出日】平成29年1月16日(2017.1.16)
【手続補正１】
【補正対象書類名】明細書
【補正対象項目名】発明の名称
【補正方法】変更
【補正の内容】
【発明の名称】駆動装置、レンズ保持装置、及びモータ付き装置
【手続補正２】
【補正対象書類名】特許請求の範囲
【補正対象項目名】全文
【補正方法】変更
【補正の内容】
【特許請求の範囲】
【請求項１】
振動子と、前記振動子を摩擦部材と接する方向に加圧する加圧部材と、を備え、前記振動子に発生する振動により前記振動子と前記摩擦部材を相対的に移動させる駆動装置であって、
前記相対的な移動による駆動力を他部材の保持部材へ伝達し、前記相対的な移動に応じて移動する連結部材と、
前記振動子と前記摩擦部材との相対的な移動が行われる際に、前記保持部材の移動方向を案内するガイド部材と、を有し、
前記連結部材は、前記加圧部材による反力が前記保持部材に加わらないように前記保持部材と前記振動子または摩擦部材とを連結していることを特徴とする駆動装置。
【請求項２】
前記ガイド部材は、前記保持部材と前記振動子または摩擦部材の移動の案内をすることを特徴とする請求項１に記載の駆動装置。
【請求項３】
前記他部材の保持部材は、レンズ保持部材であることを特徴とする請求項１又は２に記載の駆動装置。
【請求項４】
前記振動子が、固定された前記摩擦部材に対して移動させられることを特徴とする請求項１から３の何れか１項に記載の駆動装置。
【請求項５】
前記連結部材の溝部が、前記反力の方向に付勢されて、前記振動子と一体的な部分の軸部に嵌合して前記保持部材と前記振動子を連結していることを特徴とする請求項１から４の何れか１項に記載の駆動装置。
【請求項６】
前記振動子に発生する振動により前記振動子と前記摩擦部材を相対的に直進移動させることを特徴とする請求項１から６の何れか１項に記載の駆動装置。
【請求項７】
振動子と、前記振動子を摩擦部材と接する方向に加圧する加圧部材と、を備え、前記振動子に発生する振動により前記振動子と前記摩擦部材を相対的に直進移動させるモータを有し、前記振動子と前記摩擦部材が相対的に直進移動する際に直進案内として用いられるレンズ保持装置であって、
レンズを保持するレンズ保持部材と、
前記レンズ保持部材の移動を案内するガイド部材と、
前記振動子と前記加圧部材とを保持し、前記レンズ保持部材とは別に前記ガイド部材を保持する移動筺体と、
を有することを特徴とするレンズ保持装置。
【請求項８】
前記ガイド部材は、前記レンズ保持部材と前記移動筺体の移動の案内をすることを特徴とする請求項７に記載のレンズ保持装置。
【請求項９】
前記移動筺体が前記ガイド部材に沿って前記摩擦部材に対して直進移動する際に、前記直進移動による駆動力を前記レンズ保持部材へ伝達するための連結部材が設けられ、
該連結部材は、前記加圧部材による反力が前記レンズ保持部材に加わらないように前記レンズ保持部材と前記移動筺体とを連結するために、前記連結部材の溝部が、前記反力の方向に付勢されて、前記移動筺体の軸部に嵌合して前記保持部材と前記移動筺体を連結していることを特徴とする請求項７又は８に記載のレンズ保持装置。
【請求項１０】
振動子と、前記振動子を摩擦部材と接する方向に加圧する加圧部材と、を備え、前記振動子に発生する振動により前記振動子と前記摩擦部材を相対的に移動させるモータと、
前記モータとは他部材の保持部材と、
前記該保持部材の移動を案内するガイド部材と、
前記モータの前記振動子と前記摩擦部材が相対的に移動することによる駆動力を前記保持部材へ伝達するための連結部材と、
を備えたモータ付き装置であって、
前記モータは、前記振動子と前記摩擦部材が相対的に移動する際に、前記ガイド部材を案内として用い、前記連結部材は、前記加圧部材による反力が前記保持部材に加わらないように前記保持部材と前記振動子または摩擦部材とを連結していることを特徴とするモータ付き装置。
【請求項１１】
前記他部材の保持部材は、レンズ保持部材であって、鏡筒装置として構成されていることを特徴とする請求項１０に記載のモータ付き装置。
【請求項１２】
前記ガイド部材は、前記保持部材と前記振動子または摩擦部材の移動の案内をすることを特徴とする請求項１０または１１に記載のモータ付き装置。
【請求項１３】
前記振動子が、固定された前記摩擦部材に対して直進移動させられることを特徴とする請求項１０から１２の何れか１項に記載のモータ付き装置。
【請求項１４】
前記振動子と前記摩擦部材のうち前記振動子が前記保持部材に近い側に配置されていることを特徴とする請求項１３に記載のモータ付き装置。
【請求項１５】
前記連結部材に形成された溝部が、前記反力の方向に付勢されて前記振動子と一体的な部分の軸部に嵌合して、前記保持部材と前記振動子を連結していることを特徴とする請求項１３または１４に記載のモータ付き装置。
【請求項１６】
振動子と、前記振動子を擦部材と接する方向に加圧する加圧部材と、を備え、前記振動子に発生する振動により前記振動子と前記摩擦部材とを相対的に移動させるモータと、
前記モータとは他部材の保持部材の移動を案内するガイド部材と、
振動子と前記摩擦部材との相対的な移動による駆動力を前記保持部材へ伝達する連結部材と、を有し、
前記連結部材が前記移動方向と垂直な方向に付勢されて回転可能に設けられ、前記連結部材と前記モータとの係合は、先端球部と溝部ないし穴部とによることを特徴とするモータ付き装置。
【手続補正３】
【補正対象書類名】明細書
【補正対象項目名】０００１
【補正方法】変更
【補正の内容】
【０００１】
本発明は、鏡筒装置のフォーカス機構やズーム機構、プリンタ、紙送り装置、等の駆動に用いる駆動装置、鏡筒装置などのモータ付き装置、レンズ保持装置に係わる。
【手続補正４】
【補正対象書類名】明細書
【補正対象項目名】０００５
【補正方法】変更
【補正の内容】
【０００５】
しかしながら、特許文献１に開示された駆動装置では、摩擦部材の直進案内機構とレンズ保持部材の直進案内機構をそれぞれ備えているため、部品点数が多く、複雑で高価な構成となっている。また、摩擦部材を含む超音波モータ部に一体的にレンズ保持部材が設けられているため、最終的な状態に組み立てると、レンズ保持部材は、超音波モータ部のネジ止め部と２本のガイド部材による多重拘束状態となる。そのため、スムーズな移動を行うことが容易とは言い難い。本発明は、こうした点を解決するためになされたものであり、比較的少ない部品で、レンズ保持部材などの保持部材の安定した移動を可能とする駆動装置、鏡筒装置などのモータ付き装置、及びレンズ保持装置を提供することを目的とする。
【手続補正５】
【補正対象書類名】明細書
【補正対象項目名】０００６
【補正方法】変更
【補正の内容】
【０００６】
本発明の駆動装置は、振動子と、前記振動子を摩擦部材と接する方向に加圧する加圧部材と、を備え、前記振動子に発生する振動により前記振動子と前記摩擦部材を相対的に移動させる駆動装置である。そして、前記相対的な移動による駆動力を他部材の保持部材へ伝達し、前記相対的な移動に応じて移動する連結部材と、前記振動子と前記摩擦部材との相対的な移動が行われる際に、前記保持部材の移動方向を案内するガイド部材と、を有し、前記連結部材は、前記加圧部材による反力が前記保持部材に加わらないように前記保持部材と前記振動子または摩擦部材とを連結している。
【手続補正６】
【補正対象書類名】明細書
【補正対象項目名】０００７
【補正方法】変更
【補正の内容】
【０００７】
また、本発明のレンズ保持装置は、振動子と、前記振動子を摩擦部材と接する方向に加圧する加圧部材と、を備え、前記振動子に発生する振動により前記振動子と前記摩擦部材を相対的に直進移動させるモータを有し、前記振動子と前記摩擦部材が相対的に直進移動する際に直進案内として用いられる。そして、レンズを保持するレンズ保持部材と、前記レンズ保持部材の移動を案内するガイド部材と、前記振動子と前記加圧部材とを保持し、前記レンズ保持部材とは別に前記ガイド部材を保持する移動筺体と、を有する。
【手続補正７】
【補正対象書類名】明細書
【補正対象項目名】０００８
【補正方法】変更
【補正の内容】
【０００８】
また、本発明のモータ付き装置は、振動子と、前記振動子を摩擦部材と接する方向に加圧する加圧部材と、を備え、前記振動子に発生する振動により前記振動子と前記摩擦部材を相対的に移動させるモータを備える。また、前記モータとは他部材の保持部材と、前記保持部材の移動を案内するガイド部材と、前記モータの前記振動子と前記摩擦部材が相対的に移動することによる駆動力を前記保持部材へ伝達するための連結部材と、を備える。そして、前記モータは、前記振動子と前記摩擦部材が相対的に移動する際に、前記ガイド部材を案内として用い、前記連結部材は、前記加圧部材による反力が前記保持部材に加わらないように前記保持部材と前記振動子または摩擦部材とを連結している。また、本発明のモータ付き装置は、振動子と、前記振動子を摩擦部材と接する方向に加圧する加圧部材と、を備え、前記振動子に発生する振動により前記振動子と前記摩擦部材とを相対的に移動させるモータと、前記モータとは他部材の保持部材の移動を案内するガイド部材と、前記振動子と前記摩擦部材との相対的な移動による駆動力を前記保持部材へ伝達する連結部材と、を有し、前記連結部材が前記移動方向と垂直な方向に付勢されて回転可能に設けられ、前記連結部材と前記モータとの係合は、先端球部と溝部ないし穴部とによることを特徴とする。
【手続補正８】
【補正対象書類名】明細書
【補正対象項目名】０００９
【補正方法】変更
【補正の内容】
【０００９】
本発明によれば、比較的少ない部品で安定した保持部材の直進移動を可能とする超音波モータなどの駆動装置、鏡筒装置などのモータ付き装置、及びレンズ保持装置を提供することができる。
【手続補正９】
【補正対象書類名】明細書
【補正対象項目名】００１１
【補正方法】変更
【補正の内容】
【００１１】
本発明の駆動装置またはモータ付き装置では、モータの振動子と摩擦部材が相対的に移動する際に、他部材の保持部材のガイド部材を案内として用いる。そして、振動子または摩擦部材と保持部材との連結部材は、加圧部材による反力が保持部材に伝わらないように連結する。また、本発明のレンズ保持装置は、レンズ保持部材により保持され該レンズ保持部材の案内として用いられるガイド部材と、振動子と加圧部材とを保持する移動筺体であって前記レンズ保持部材とは別に前記ガイド部材を保持する移動筺体と、を有する。例えば、後述する薄板保持部材を介して振動子や加圧部材を保持する移動筐体が、ガイド部材をレンズ保持部材とは別に保持することで、加圧部材による反力がレンズ保持部材に加わらないようになっている。